(57)【要約】【課題】  物品の運送に際して、梱包を容易にする。【解決手段】  ベースボード６と、抑えシート７との組合わせである。ベースボード６の両側の立下り部分１１と、両端の立上り部分１２との間のベースボードの四隅の部分は保形部分１６である。保形部分１６は、立上り部分１２と立下り部分１１とにつながり、立下り部分１１の端縁をベースボード６の下面側に折曲することにより立上り部１２と並行に折り返され、ついで立上り部１２を上向きに折り返すことによって起立して立下り部分１１を折り曲げ状態に保形する。抑えシート７は、ベースボード６上の物品１の表面を覆い、立下り部分１１の折り曲げにより緊張し、物品１をベースボード６に押付けて定着させる。【選択図】  図２
2008174311.tif 000002
【特許請求の範囲】
【請求項１】
ベースボードと、抑えシートとを有する物品運送用梱包具であって、
ベースボードは、運搬すべき物品を定位置に支えるものであり、立上り部分と立下り部分と、保形部分とを有し、
立上り部分は、ベースボードの両側縁から上向きに、立下り部分は、ベースボードの両端縁から下向きにそれぞれ折り返されるものであり、
保形部分は、立上り部分の両端縁と立下り部分の両端縁との間に残されたベースボードの四隅の部分であり、立上り部分と立下り部分とにつながり、立下り部分の端縁をベースボードの下面側に折曲することにより立上り部と並行に折り返され、立上り部を上向きに折り返すことによって、起立して立下り部分を折り曲げ状態に保形するものであり、
抑えシートは、少なくとも両端がベースボードの両立下り部の端縁に固定され、ベースボード上の物品の表面を覆い、立下り部分の折り曲げにより、緊張して物品をベースボードに押付けて定着させるものであり、
立上り部分の両端に形成される保形部分は、上面開放の箱体を形成するものであることを特徴とする物品運送用梱包具。
【請求項２】
立上り部分の両端に形成される保形部分は、物品運送用梱包具を２段以上段積みをする際のスペーサとして、上段の物品運送用梱包具を支えるものであることを特徴とする請求項１に記載の物品運送用梱包具。
【発明の詳細な説明】
【技術分野】
【０００１】
本発明はノートブックパソコンをはじめ各種の物品を格納して運搬する物品運送用梱包具、特に宅配便に好適な物品運送用梱包具に関する。
【背景技術】
【０００２】
ノート型パソコンの普及にともない、ノート型パソコンの運送の必要性が飛躍的に増大している。最近では、ユーザからのノート型パソコンの修理、メモリ増設などの要求に対し、メーカの補修センターへの直接の持ち込みではなく、郵便或いは宅配便でのみ受付けるケースが見られる。
【０００３】
この様なケースでは、ユーザからメーカーへ発送されたノート型パソコンを修理、保守、補修した後、そのノート型パソコンをメーカからユーザに返送するときにも郵便或いは宅配便にて返送される。郵便或いは宅配便にてノート型パソコンを運送するにあたって、その梱包には、衝撃からノート型パソコンが充分に保護されるような対策が必要である。
【０００４】
ノート型パソコンの輸送に際し、メーカ側からユーザに輸送するに際しては、その梱包に充分な保護対策を講じ、あるいは、梱包の包装体を一定の品質に規格化することはもとより可能であるが、ユーザにとっては、梱包材料の用意が無く、専用のノート型パソコン運送用梱包具が提供されない限り、梱包に充分な保護対策を講ずることは必ずしも容易ではない。
【０００５】
そこでこのような要求に応ずるため、図８に示すように個装体２１と内装体２２との組合せを用いた物品運送用梱包具が提案された。この物品運送用梱包具は、図７（ａ）のように一枚のカバーボードを折り曲げた個装体２１の折返し縁２５をもって運送すべき物品の表面を覆い、これを抑えシート２７を有する内装体２２に保持するものである。この物品運送用梱包具によれば、輸送中に加えられるかもしれない衝撃から有効に物品を保護できる。
【０００６】
ところで、上記物品運送用梱包具を用いて物品を梱包する場合には、図７（ｂ）のように個装体２１に包装した物品（或いは包装しない物品）を内装体２２のベースボード２６と、抑えシート２７の間に差込み、両立下り部分３１、３１を、ベースボード２６の端縁から下向きに折り返し、次に立上り部分３２をベースボード２６の両側縁から上向きに折り返し、さらに押え部分３６をその両端外面にあてがったままで図８に示すように外箱２３に入れ、外箱２３を施蓋して梱包を完了する。
【０００７】
この例に示す内装体２２においては、立下り部３１の両側に付された押え部分３６と立上り部分３２とは、切込み線３５によって分離されているために、物品を保持させた内装体２２を外箱２３内に収納するに際しては、立上り部分３２の外面に押え部分３６を押し付けた状態で内装体２２を外箱２３内に差し込まなければならない。立上り部分３２を把んでいたとしても、もし、押え部分３６の保持を外すと、ベースボード２６自身の有する弾性に、緊張状態にある抑えシート２７の復元力が作用して立下り部分３１が両側に開き、外箱２３内に差し込むことができなくなるという問題を生じる。
【特許文献１】特開２００１−１３０６４０号公報
【発明の開示】
【発明が解決しようとする課題】
【０００８】
解決しようとする問題点は、立下り部分３１の両側に付された押え部分３６と立上り部分３２とが、切込み線３５によって分離されているときには、物品を保持させた内装体２２を外箱２３内に収納するに際し、立上り部分３２とともに押え部分３６をしっかり掴んでいないと、立下り部分３１が両側に開き、外箱２３内に差し込むことができなくなる点である。
【課題を解決するための手段】
【０００９】
本発明は、折返し線をもって立下り部の両側に付された押え部分に相当する保形部分と立上り部分とを連結したため、物品を内装体のベースボードと、抑えシート間に差込み、両立下り部分を、ベースボードの端縁から下向きに折り返し、次に立上り部分をベースボードの両側縁から上向きに折り返せば、保形部分（従来の押え部分）は、自ずから立上り部の外面に密着して両立下り部分を折返し位置に保形できる点を最も主要な特徴とする。
【発明の効果】
【００１０】
物品を本発明の内装体のベースボードと、抑えシート間に差込み、両立下り部分を、ベースボードの端縁から下向きに折り返し、次に立上り部分をベースボードの両側縁から上向きに折り返せば、押え部分は自ずから立上り部分の外面に密着し、両立下り部分を定位置に保持するため、両立上り部分を掴んで外箱内に容易に出し入れすることができる。さらに両保形部分は、単に立下り部分を定位置に保持する機能だけでなく、本発明においては、両保形部分を利用して上面開放の箱体を形成し、この箱体内を部品類の収納部として利用するものである。また、保形部には、構造上に強度あるいは厚みを保有させることによって、２段以上、物品運送用梱包具を段積して外箱内に梱包する際に上段の物品運送用梱包具を支えるスペーサーとして利用することができる。
【発明を実施するための最良の形態】
【００１１】
ベースボードの端縁から下向きに折り返した立下り部分を定位置に保持し、箱体を形成して、部品類の収納部として利用するという目的を保形部分（押え部分）の構造を大幅に変更することなく実現した。
【実施例１】
【００１２】
本発明による物品運送用梱包具は、緩衝材を兼ねる内装体として、外箱内に収容すべき物品を梱包するものである。
【００１３】
本発明の梱包具は、ダンボール紙によって作られたものであり、梱包する物品１は、例えばノート型パソコンであるが、平らな物品に限らず、背の高い物品であってもよい。
本発明による梱包具の基本形を以下に説明する。梱包具２は、図１に示すように、ベースボード６と、抑えシート７との組を有し、図２（ａ）〜（ｄ）のように物品１を保持して外箱内に収容するものである。
【００１４】
図１（ａ）、（ｂ）において、梱包具２のベースボード６は、物品１を板の上面に支えるものであり、板面の前後両端縁に立下り部分１１を有し、両側縁に立上り部分１２，１２を有している。
【００１５】
立下り部分１１、立上り部分１２は、いずれも長方形をなすベースボード６の両側縁および両端縁から先の部分である。
【００１６】
立下り部分１１は、脚部分９と、その先の底部分１０とからなり、脚部分９は、ベースボード６の板面に直交させる部分であり、底部分１０は、ベースボード６と平行に折曲される部分である。脚部分９の中央部分は、幅が広く、両端は三角形をなし、その三角形の部分８の鋭角の尖端が立上り部分１２につながっている。図中、１４ａ、１４ｂは、脚部分９と、底部分１０とを区画する折曲線、１４は、両折曲線１４ａ、１４ｂの合流点から立上り部分１２の端縁に伸びる折曲線を示している。脚部分９の両端の三角形の部分８は、折曲線１４ａ、１４ｂを合流させることによって形成されたものであり、同時に立上り部分の基部には、両側に張出した下傾部分５が形成される。
【００１７】
立上り部分１２は、ベースボード６の両端縁に形成される下傾部分５から上方に折り返す部分である。図１に示すように両折曲線１４ａ、１４ｂの合流点に円形の開口４を設けて、立上り部分１２の折り曲げが容易にする。図中、１３ａ、１３ｂは、下傾部分５及び立上り部分１２を形成する折曲線を示している。ベースボード６から立下り部分１１を下向きに折返し、立上り部分１２を上向きに折り返したときに、前記脚部分９の両端の三角形の部分８は、図２（ｂ）に示すように両側に張出す部分となる。
【００１８】
折曲線１４と、１３ａとによって区画される立下り部分１１と、立上り部分１２とが交叉するベースボード６の隅の部分は、保形部分１６である。この例では、保形部分１６の外端を斜めに切り落としているが、四角形のままでも良く、保形部分１６の形状は問わない。保形部分１６は後述するように、立上り部分１２の外面にあてがわれて立下がり部分１１を定型に支える部分となる。
【００１９】
抑えシート７は、図１（ｂ）のように、両端をベースボード６の裏面に折返して、その左右側縁（立下り部分の端縁）に固定したシートである。
【００２０】
抑えシート７に伸縮性を有するシートを用いることで可撓性や可塑性等の衝撃や圧力を吸収、回避することができる、天然ゴム、ＳＥＢＳ、ＳＩＰ等のスチレン系可塑性エラストマーやポリエステル系熱可塑性エラストマー、ポリウレタン系熱可塑性エラストマー、ポリアミド系熱可塑性エラストマー、エチレン一酢酸ビニール共重合体、シングルサイト触媒やミタロセン触媒のポリオレフィンおよびオレフィン系エラストマー等の樹脂フィルムを使用し、使用目的や用途によって選択的に使用できる、環境への配慮、リサイクル性、衛生性、美粧性等を考慮すると、好ましくはポリウレタン系熱可塑性樹脂を原料とする透明フィルムを用いるのがよい。
【００２１】
また、熱可塑性フィルムは、本発明では、樹脂硬度が９０Ａ以下で、引張破断強度が１９〜１４０．０ＭＰａで好ましくは７０．０〜９０．０ＭＰａ、引張破断伸度が１００〜９００％で好ましくは５００〜７００％、引張弾性率が９．０〜１９６．０４ＭＰａで好ましくは９．０〜２０．０ＭＰａで−４０度あるいは＋６０度の環境において、貯蔵弾性率が１５．０ＭＰａ以上、損失係数ｔａｎ−δが−４０度で０．０５以上であることが好ましく、緩衝支持するのに最適な粘性および弾力変形回復性ならびに機械的強度に優れているポリウレタン樹脂フィルムを使用するのが好ましい。
【００２２】
さらに、ポリウレタン樹脂やオレフィン樹脂等の伸縮自在な緩衝シートの厚さ寸法は、商品としての前記トナーの形状、大きさ、重量等で異なるが、１０〜３００μｍで、好ましくは２０〜２００μｍである。
【００２３】
なお、本実施例において、抑えシート７は、ベースボードの紙面に熱溶着固定や接着剤で接着固定されているが、両面テープ等の貼付固定等で取付けられてもよい。また、本実施例の伸縮自在な前記押さえシート７は不織布、織布あるいはニット等で形成されたものでもよい。
【００２４】
次に本発明の梱包具を用いて物品を梱包する要領を説明する。
図２（ａ）において、まず、両立下り部分１１，１１を最初やや上向きに折り返してベースボード６と、抑えシート７との間を開き、立上り部分１２の面側から開かれたベースボード６と、抑えシート７との間に物品１を差し込む。
【００２５】
ついで、図２（ｂ）に示すように、抑えシート７の張力に抗して両立下り部分１１を、折曲線１４ａ、１４ｂに沿って下向きに折り曲げる。これによって、立下り部分１１は、図２（ｃ）に示すように脚部分９がベースボード６に対して直角に折り曲げられ、さらに底部分１０がベースボード６と平行に折り曲げられ、保形部分１６は、立上り部分１２の裏面に重ねられる。前記脚部分９の両端の三角形の部分８は、両側に張出し、これによって、抑えシート７は、立下り部分１１に引っ張られて緊張し、脚部分９で直角に折曲される。
【００２６】
ついで、図２（ｄ）において、立上り部分１２をベースボード６の両側縁から上向きに折り返すと、立上り部分１２の折り返しによって、保形部分１６は立上り部分１２の外面にあてがわれたまま立上り部分１２と一体に起立し、立上り部分１２を手で掴んでいる限り保形部分１６はその起立姿勢を保ち、立下り部分１１の脚部分９をベースボード６に対して直角姿勢に保形し、底部分１０を平行姿勢に保形する。両立上り部分１２、１２を起立姿勢に保持することによって、立上り部分１２の基部の下傾部分５で折り曲げられ、立下り部分側では脚部分で直角に折曲されて物品１に横ずれが生じず、ベースボード６上の定位置に圧着される。そのまま図３のように物品を包んだ梱包具２を外箱３内にいれ、外箱３を施蓋して梱包を完了する。
【００２７】
本発明において、物品１は、梱包具２に支えられて外箱３内に格納されるが、梱包具２の立上り部分１２および立下り部分１１は、ベースボード６の端縁部分の折り曲げによるため、復元力を保有し、特に立下り部分１１には、抑えシート７の緊張による強い復元力が働き、外箱３の下底を押付け、立下り部分１１に作用する抑えシート７の復元力をもって、立上り部分１２は、外箱３の上底面に圧接される。
【００２８】
これによって、ベースボード６上の物品１は、外箱３内に収容された状態で、ベースボード６の下面には、立下り部分の脚部分９の立上り高さの空間が形成され、また、ベースボード６の側方には両脚部分９の両端の三角形部分８が側方へ張出すことによって、ベースボード６の側方には自ずから空間が形成されるため、これらの空間が外箱３に加えられる衝撃を吸収されて梱包物品１を破損から有効に保護できる。
【００２９】
なお、図１中、Ａにて示す円形内部の線の方向は、ダンボール紙のフルートの方向を示している。ダンボール紙は、フルートに沿う方向は、相対的に弱い力で折り曲がるが、フルートに直交する方向に折り曲げるには、相対的に強い力を必要とする。
【００３０】
本発明は、保形部分を機能的に利用しようとするものであり、本発明は、立上り部分１２の両端に形成される保形部分１６を上面開放の箱体に利用する。図４（ａ）において、立上り部分１２と保形部分１６とには、脚部分９と、底部分１０とを区画する折曲線１４ａ、１４ｂの合流点から端を発して折曲線１４ａ、１４ｂと対称に立上り部分１２及び保形部分１６の端縁に伸びる折曲線１４ｃ、１４ｄを付し、図４（ｂ）のように折曲線１４ａ、１４ｂの折曲げによって脚部分９と、底部分１０とを形成すると同時に折曲線１４ｃ、１４ｄで立上り部分１２及び保形部分１６を折曲し、箱体の側壁１８及び端面１９を形成し、ついで立上り部分１２を起立させると、図４（ｃ）のように梱包具の両端には、上面開放の箱体が形成される。この箱体内には例えばパソコンの配線コードその他の部品類を収納することができる。立上り部分１２に形成される保形部分１６の箱体は部品の収納用にとどまらず、梱包具を２段以上積み重ねて外箱３内に収納する場合に上段の梱包具を隔離するためのスペーサとして利用することもできる。
【００３１】
本発明において、図５（ａ）〜（ｃ）のように立上り部分に横長のスリット１７を開口すれば、その開口を梱包具２を掴むための把手として利用できる。また、図６のように、このスリット１７を通して抑えシート７を一方の立上り部分１２の外面に折返し、その折返し端を立上り部分１２に固定すれば、抑えシート７とベースシート６とは３辺が閉じられるため、物品の脱落をより確実に防止できる。さらに、スリット１７を通して抑えシート７を一方の立上り部分の外面に固定し、他方の抑えシート７を対向側の立上り部分１２に脱着可能に固定することによって、物品の梱包後、抑えシートの４辺を固定することもできる。
【産業上の利用可能性】
【００３２】
本発明は、ノート型パソコンの運送用梱包具としてだけでなく、同様の形態の電子機器類の運送用梱包具、食器などのわれものの運送用梱包具として利用できるのは云うまでもない。また、抑えシートに透明シートを用いることによって梱包物品の状態を外部から透視できる。
【図面の簡単な説明】
【００３３】
【図１】（ａ）は本発明の梱包具の１実施例を示す展開図、（ｂ）は（ａ）のＢ−Ｂ線断面図である。
【図２】（ａ）、（ｂ）、（ｄ）は本発明の梱包具を用いて物品を梱包する要領を示す図であり、（ｃ）は（ｂ）のＣ−Ｃ線断面図である。
【図３】物品を梱包した梱包具を外箱に格納する要領を示す図である。
【図４】（ａ）〜（ｃ）は実施例２の梱包具を用いて物品を梱包する要領を示す図である。
【図５】（ａ）〜（ｃ）は立上り部分にスリットを開口した例を示す図である。
【図６】図５のＤ−Ｄ断面図である。
【図７】物品運送用梱包具の従来例の一つを示す図である。
【図８】図７に示す従来の物品運送用梱包具を外箱に格納する要領を示す図である。
【符号の説明】
【００３４】
１  物品
２  梱包具
３  外箱
４  開口
５  下傾部分
６  ベースボード
７  抑えシート
８  三角形の部分
９  脚部分
１０  底部分
１１  立下り部分
１２  立上り部分
１３ａ，１３ｂ，１４，１４ａ，１４ｂ  折曲線
１６  保形部分
１７  スリット
１８  側壁
１９  端面
【図１】
2008174311.tif 000003
【図２】
2008174311.tif 000004
【図３】
2008174311.tif 000005
【図４】
2008174311.tif 000006
【図５】
2008174311.tif 000007
【図６】
2008174311.tif 000008
【図７】
2008174311.tif 000009
【図８】
2008174311.tif 000010